(57)【要約】室外機１と室内機２とを有する空気調和装置であって、交流電源３を整流及び平滑し、主回路コンデンサ１２に直流電圧を発生させるコンバータ主回路８と、主回路コンデンサ１２が発生させる直流電圧を交流電圧に変換するインバータ主回路１６と、インバータ主回路１６によって駆動される圧縮機モータ１７と、室外ファン２９と、室外ファン２９を回転駆動するファンモータ３０と、室外機１を制御するマイコン２６と、を備え、室外機１が待機電力削減モード中に、室外ファン２９に外風が当たり、ファンモータ３０が回転して発電状態となった場合、マイコン２６は、室外機１が待機電力削減モードから運転停止状態に移行しないようにするものである。
2019138481.tif 000002
【特許請求の範囲】
【請求項１】
室外機と室内機とを有する空気調和機であって、
交流電圧を整流及び平滑し、主回路コンデンサに直流電圧を発生させるコンバータ主回路と、
前記主回路コンデンサに発生した直流電圧を交流電圧に変換するインバータ主回路と、
該インバータ主回路によって駆動される圧縮機モータと、
室外ファンと、
該室外ファンを回転駆動するファンモータと、
前記室外機を制御する制御部と、を備え、
前記室外機が待機電力削減モード中に、前記室外ファンに外風が当たり、前記ファンモータが回転して発電状態となった場合、
前記制御部は、前記室外機が待機電力削減モードから運転停止状態に移行しないようにする空気調和機。
【請求項２】
前記主回路コンデンサの端子間電圧を検出する出力電圧検出回路を備え、
前記制御部は、前記出力電圧検出回路が検出した電圧が予め設定された第１の閾値電圧以上の時には、前記室外機が待機電力削減モードから運転停止状態に移行しないようにする請求項１に記載の空気調和機。
【請求項３】
前記ファンモータの回転数を検出する回転数検出回路を備え、
前記制御部は、前記回転数検出回路が検出した回転数が予め設定された第１の閾値回転数以上の時には、前記室外機が待機電力削減モードから運転停止状態に移行しないようにする請求項１に記載の空気調和機。
【請求項４】
前記制御部は、前記室外機が待機電力削減モードから運転停止状態に移行しないようにした後に、前記出力電圧検出回路が検出した電圧が前記第１の閾値より大きい予め設定された第２の閾値電圧以上の時には、前記室外機が有するアクチュエータを駆動する請求項２又は３に記載の空気調和機。
【請求項５】
前記制御部は、前記室外機が有するアクチュエータを駆動した後に、前記出力電圧検出回路が検出した電圧が前記第１の閾値電圧より大きく、かつ前記第２の閾値電圧より小さい予め設定された第３の閾値電圧以下であり、かつ前記回転数検出回路が検出した回転数が前記第１の閾値回転数より小さい予め設定された第２の閾値回転数より大きい時には、前記アクチュエータの駆動を停止する請求項４に記載の空気調和機。
【発明の詳細な説明】
【技術分野】
【０００１】
この発明は、室外機のファンを回転駆動するファンモータに電力供給するインバータを備えた空気調和機に関するものであり、特に、ファンが外風を受けて回転することで、ファンモータで回生電圧が発生した際の空気調和機の制御に関するものである。
【背景技術】
【０００２】
従来の空気調和機には、運転待機中での室外機の消費電力を削減するために、運転待機中には室外機への電力供給を遮断する待機電力削減モードが導入されているものがある。このような空気調和機では、外部電源からの電源線と室外機の内部に実装される整流回路との間にリレーを設け、待機電力削減モード中にはこのリレーを遮断することにより室外機内の電気回路に電力が供給されないようになっている（特許文献１参照）。【０００３】
しかしながら、待機電力削減モードになっている状態時に、室外機のファンが外風を受けて回転することでファンモータが回転して発電状態になると、ファンモータの回転により発生する回生電流により、室外機の主回路コンデンサが充電され、待機電力削減モード中にもかかわらず室外機が起動してしまうことがあった。室外機は一旦起動すると通常の運転停止状態に移行する為に、それ以降は室外機では待機電力が発生してしまうことになる。従って、このような通常の起動方法とは異なる動作シーケンスによる室外機の起動は、待機電力を削減する観点から好ましくない。また、外風によるファンモータの回生電圧は、主回路コンデンサの過電圧をもたらし、室外機で使用している半導体素子等の電気部品の故障につながる恐れがある。【０００４】
このような外風による室外機の起動に対処する方法として、室内機からの運転指令がない状態において主回路コンデンサが充電されて室外機が起動した場合には、主回路コンデンサの充電レベルを監視し、この主回路コンデンサの電圧が所定の電圧レベルを超えている場合には、室外機に内蔵されている圧縮機を駆動させることで主回路コンデンサの直流電圧レベルを下げるようにしたものがある（特許文献２参照）。また、この圧縮機の駆動において、圧縮機用インバータによる拘束通電を行うようにしたものもある（特許文献３参照）。【０００５】
また、外風によるファンモータの回生電圧により、主回路コンデンサの電圧が所定の電圧レベルを超えたとき、ファンモータを駆動するインバータ回路のスイッチングパターンを切り替えることでファンモータの巻線に短絡電流が流れるようにして、回生電圧による主回路コンデンサの電圧上昇を抑制するようにしたものがある（特許文献４参照）。
【先行技術文献】
【特許文献】
【０００６】
【特許文献１】特開２０１０−２４３０５１
【特許文献２】特開２００１−２６３７６７
【特許文献３】特開２０１４−５７４９７
【特許文献４】特開２００９−５５７８１
【発明の概要】
【発明が解決しようとする課題】
【０００７】
特許文献１に記載のような待機電力削減モードを有する空気調和機では、待機電力削減モードで動作中に、外風により発生した回生電圧により室外機が起動した際には、室外機の通常の起動時と同様に起動後は運転停止状態に移行するので、室外機の状態が待機電力削減状態ではなくなってしまうという問題があった。【０００８】
それに対して、特許文献２、特許文献３及び特許文献４に記載の構成は、外風により室外機のファンモータが回転することにより発生する過大な回生電圧に対して、主回路コンデンサを含む電気部品を保護する手段ではあっても、外風による回生電圧により室外機が起動した際の待機電力削減については何ら考慮されていない。【０００９】
また、電気部品の保護手段に関して、特許文献２に記載の構成のように、圧縮機を駆動させることで回生エネルギーを消費させようとしても、主回路コンデンサ電圧が通常とは異なる高電圧になっている状態での駆動となるため、インバータから圧縮機に供給される電流の歪みが増加してしまい、圧縮機駆動時に制御破綻を起こし駆動ができない可能性もある。【００１０】
また、温暖な地域で空気調和機を使用した場合、圧縮機の温度が低下しにくい為、温暖な地域に適用する空気調和機には拘束通電の機能が備えられていない場合がある。また、圧縮機をヒーターで暖める機能を持った空気調和機の場合には拘束通電の機能が備えられていないものが多い。この為、特許文献３に記載の拘束通電機能に頼る制御方法は空気調和機の機種によっては適用不可能で、汎用性に欠ける制御方法である。【００１１】
また、空気調和機で使用しているファンモータがインバータとモータが一体になった構造を有する場合、インバータ内部のスイッチングパターンを動的に変更することができないことが多いので、インバータ回路のスイッチングパターンを切り替えることで主回路コンデンサの電圧上昇を抑制する特許文献４に記載の制御方法は適用できない。【００１２】
この発明は上記のような課題を解決するためになされたものであり、本発明の目的は、待機電力削減モードを有する空気調和機において、待機電力削減モード中に外風によりファンモータが回転して発電状態となり、ファンモータで発生した回生電圧により室外機が起動した場合でも、室外機での消費電力を低減できる空気調和機を得ることである。
【課題を解決するための手段】
【００１３】
本発明の空気調和機は、  室外機と室内機とを有する空気調和装置であって、  交流電源を整流及び平滑し、主回路コンデンサに直流電圧を発生させるコンバータ主回路と、  前記主回路コンデンサが発生させる直流電圧を交流電圧に変換するインバータ主回路と、  該インバータ主回路によって駆動される圧縮機モータと、  室外ファンと、  該室外ファンを回転駆動するファンモータと、  前記室外機を制御する制御部と、を備え、  前記室外機が待機電力削減モード中に、前記室外ファンに外風が当たり、前記ファンモータが回転して発電状態となった場合、  前記制御部は、前記室外機が待機電力削減モードから運転停止状態に移行しないようにするものである。
【発明の効果】
【００１４】
本発明の空気調和機は、室外機が待機電力削減モード中に、外風によりファンモータが回転して発電状態となることで室外機が起動した際に、室外機が待機電力削減モードから運転停止状態に移行しないようにできるので、室外機の不要な起動による電力消費を低減することができる。
【図面の簡単な説明】
【００１５】
【図１】実施の形態１における空気調和機の構成（待機電力削減モード）を示す図
【図２】実施の形態１における空気調和機の構成（運転停止状態）を示す図
【図３】実施の形態１における空気調和機の構成（無効電力削減モード）を示す図
【図４】実施の形態１における空気調和機の通常起動時の動作フロー図
【図５】実施の形態１における空気調和機の運転停止状態時の動作フロー図
【図６】実施の形態１における空気調和機の外風起動時の動作フロー図
【図７】実施の形態２における空気調和機の動作フロー図
【図８】実施の形態３における空気調和機の動作フロー図
【図９】実施の形態４における空気調和機の動作フロー図
【発明を実施するための形態】
【００１６】
実施の形態１.
実施の形態１における空気調和機について、図に基づいて構成及び動作を説明する。図１〜３はそれぞれ空気調和機の構成を示す図であり、待機電力削減モード時（図１）、運転停止状態時（図２）、無効電力削減モード時（図３）での回路構成を示している。なお、各動作モードの説明は後述する。
【００１７】
まず、図１に基づいて、空気調和機の構成を説明する。空気調和機は、室外機１と室内機２を有し、室外機１と室内機２は図示していない冷媒配管で接続され、冷凍サイクルを構成している。図１では発明の動作説明に必要な構成のみを示し、空気調和機が通常備えている熱交換器や冷媒配管等の冷凍サイクルを構成する物品の多くは図示を省略している。また、主要な動作が室外機１の構成に係るものである為、室内機２については構成を簡略して示している。
【００１８】
交流電源３からの電源線は室外機１のノイズフィルタ４の電源側端子に接続され、室外機１は交流電源３からの交流電力を用いて動作する。なお、交流電源３はノイズフィルタ４の負荷側端子から室内機２にも接続されており、室内機２も交流電源３からの交流電力を用いて動作する。
【００１９】
ノイズフィルタ４の負荷側端子の一端には第１の開閉手段であるリレー（ＲＬ）５の一端が接続され、リレー５の他端とノイズフィルタ４の負荷側端子の他端の間にはノイズ除去用のコンデンサ６が接続される。リレー５はノーマルオープン型のリレーである。コンデンサ６の両端には第１の整流回路であるダイオードブリッジで構成した全波整流回路（ＤＢ）７の電源側端子が接続される。全波整流回路７は交流電源３から供給される交流電圧を整流して直流電圧を出力する。リレー５は交流電源３と全波整流回路７間の交流電圧経路に設けられているので、リレー５を開放することで交流電源３から全波整流回路７への交流電圧の供給を遮断することができる。
【００２０】
全波整流回路７の負荷側端子にはコンバータ主回路８が接続される。コンバータ主回路８は、全波整流回路７の直流電圧出力を変換して変換後の直流電圧を出力する。ここではコンバータ主回路８として力率改善（ＰＦＣ）コンバータを用いた場合で説明する。なお、コンバータ主回路８の構成はこれに限定されるものではなく、公知の技術を適用してこれ以外のコンバータ主回路を構成するようにしてもよい。
【００２１】
力率改善（ＰＦＣ）コンバータであるコンバータ主回路８は、リアクタ９ａ，９ｂと、ＭＯＳＦＥＴ（電解効果トランジスタ）等のスイッチング素子１０ａ，１０ｂと、逆流防止用ダイオード１１ａ，１１ｂとで構成される。そして、図示しないコンバータ制御用マイコンを用いて、９ａ，９ｂに流れる電流に位相差が生じるようにスイッチング素子１０ａ，１０ｂを制御することで、コンバータ出力として交流電圧を整流及び平滑し、かつ昇圧された電圧を得ることができる。コンバータ主回路８の出力側には主回路コンデンサ１２が設けられ、コンバータ出力電圧により主回路コンデンサ１２が充電されることで、主回路コンデンサ１２の端子間に平滑化した直流電圧が生成される。主回路コンデンサ１２としては電解コンデンサが好適である。なお、力率改善コンバータの制御の詳細については公知の制御方法を利用することができる。
【００２２】
リレー５の交流電源側端子にはＰＴＣサーミスタ１３（ＰＴＣ: Positive Temperature Coefficient）の一端が接続され、ＰＴＣサーミスタ１３の他端には第２の開閉手段であるリレー（ＲＬ）１４の一端が接続される。リレー１４はノーマルオープン型のリレーである。リレー１４の他端には逆流防止用ダイオード１５のアノードが接続され、逆流防止用ダイオード１５のカソードには主回路コンデンサ１２の正極端子が接続される。このようにリレー５の交流電源側端子と主回路コンデンサ１２の正極端子間にＰＴＣサーミスタ１３、リレー１４、逆流防止用ダイオード１５が直列接続されることで、主回路コンデンサ１２へのバイパス充電経路が形成される。このバイパス充電経路にＰＴＣサーミスタ１３を設けることで、主回路コンデンサ１２を充電する際の突入電流を抑制することができる。なお、主回路コンデンサ１２等の回路部品のデバイス特性に応じて、ＰＴＣサーミスタ１３の代わりに通常の抵抗素子を用いてもよい。また、ダイオード１５には全波整流回路７やコンバータ主回路８内のダイオードよりも電流耐量が大きいスペックの素子を用いることが望ましい。
【００２３】
主回路コンデンサ１２の端子間にはインバータ主回路１６が接続され、インバータ主回路１６には室外機１に搭載される圧縮機モータ１７が接続される。モータ１７には例えばブラシレスＤＣモータが適用される。インバータ主回路１６は図示しないインバータ制御用マイコンを用いて、インバータ主回路１６内のスイッチング素子をオン・オフ駆動することにより、主回路コンデンサ１２の端子間に発生した直流電圧を交流電圧に変換することでモータ１７を回転駆動する。なお、インバータ主回路１６はＩＰＭ（Intelligent Power Module）で構成してもよい。
【００２４】
リレー５の交流電源側端子には第３の開閉手段であるリレー（ＲＬ）１８の一端が接続され、リレー（ＲＬ）１８の他端には抵抗素子１９の一端が接続される。リレー１８はノーマルオープン型のリレーである。抵抗素子１９の他端にはダイオード２０のアノードが接続され、ダイオード２０のカソードには平滑コンデンサ２１の正極端子が接続される。ダイオード２０、及び平滑コンデンサ２１で交流電源３の交流電圧を整流して直流電圧を出力する第２の整流回路を構成する。平滑コンデンサ２１としては電解コンデンサが好適である。また、後述するように、平滑コンデンサ２１の電圧は室外機１の弱電系統の電源生成に利用されるものであるため、平滑コンデンサ２１の容量は主回路コンデンサ１２よりも小容量でよい。
【００２５】
リレー５の交流電源側端子は室内機２内にある室外起動リレー（ＲＬ）２２の一端にも接続され、室外起動リレー２２の他端は第４の開閉手段であるリレー（ＲＬ）２３の一端に接続される。リレー２３はノーマルクローズ型のリレーである。リレー２３の他端にはもう１つのＰＴＣサーミスタ２４の一端が接続され、ＰＴＣサーミスタ２４の他端はダイオード２０のアノードに接続される。
【００２６】
ＤＣ／ＤＣコンバータ回路２５は平滑コンデンサ２１に並列接続され、平滑コンデンサ２１の端子間電圧を入力してマイコン２６等の室外機１内の回路素子で使用する各種の直流電圧を生成する。マイコン２６はＤＣ／ＤＣコンバータ回路２５の出力電圧を電源にして動作する。マイコン２６は室外機１の全体制御を統括するマイコンであり、マイコン２６は室外機１の制御部である。室外機１が起動し、運転を行うためにはマイコン２６が動作していることが必要になる。マイコン２６はリレー５，リレー１４，リレー１８及びリレー２３の開閉制御を行う。
【００２７】
主回路コンデンサ１２の端子間電圧は、ダイオード２７を介してＤＣ／ＤＣコンバータ回路２５にも入力される。ＤＣ／ＤＣコンバータ回路２５は主回路コンデンサ１２の端子間電圧と平滑コンデンサ２１の端子間電圧の両方の電圧に対応可能な入力電圧範囲を持つものを使用する。ダイオード２７は平滑コンデンサ２１から主回路コンデンサ１２方向への直流電流を阻止する役割も有している。また、出力電圧検出回路２８は主回路コンデンサ１２の端子間電圧を検出し、検出した電圧値をコンバータ出力電圧としてマイコン２６に出力する。
【００２８】
室外機１は室外ファン２９を有しており、ファンモータ３０により室外ファン２９を回転駆動させることにより、室外熱交換器（図示していない）に対して空気を通流させる。室外ファン２９は主回路コンデンサ１２の端子間電圧を電源として動作する。なお、ファンモータ３０と室外ファン２９は物理的に一体化して構成してもよいし、ファンモータ３０と室外ファン２９を分離した構成としてもよい。
【００２９】
回転数指示出力回路３１はマイコン２６からの指示に基づき、室外ファン２９の回転数を制御する信号をファンモータ３０に出力する。回転数検出回路３２はファンモータ３０から出力される回転数パルスをカウントすることでファンモータ３０の回転数を検出し、検出した回転数をマイコン２６に出力する。回転数指示出力回路３１と回転数検出回路３２はＤＣ／ＤＣコンバータ回路２５の出力電圧を電源にして動作する。
【００３０】
冷凍サイクルを構成する四方弁３３及び電子膨張弁３４は、マイコン２６からの指示に基づき、四方弁駆動回路３５及び電子膨張弁駆動回路３６によってそれぞれ駆動制御される。四方弁駆動回路３５はノイズフィルタ４の負荷側端子間電圧を電源にして動作する。電子膨張弁３４はＤＣ／ＤＣコンバータ回路２５の出力電圧を電源にして動作する。
【００３１】
次に、待機電力削減モードにある室外機１を起動する起動シーケンスについて、図４の動作フロー図を用いて説明する。図１では室外機１が待機電力削減モードにある時の空気調和機の回路構成を示している。後述するように、待機電力削減モード時には室外機１のリレー５、リレー１４、リレー１８、及びリレー２３には交流電源３からの電力は供給されていない。また、室外機１のリレー５、リレー１４、リレー１８はいずれもノーマルオープン型のリレーであり、リレー２３はノーマルクローズ型のリレーである。この為、待機電力削減モードでは室外機１のリレー５、リレー１４、リレー１８が開状態、リレー２３が閉状態になる。また、室内機２の室外起動リレー２２は開状態にある。この為、室内機２は交流電源３からの交流電力を用いて動作しているが、室外機１のノイズフィルタ４より負荷側の各回路素子には電力が供給されておらず、室外機１は起動していない状態にある。従って、室外機１が待機電力削減モードにある時は、室外機１における消費電力を大幅に削減できる。
【００３２】
室外機１を起動する際には、まず室外起動リレー２２を閉状態にする。このリレー制御は、室内機２内部にある図示していない室内制御部がリモコン（不図示）からの起動信号に基づいて行う。室外起動リレー２２が閉状態になると室外起動リレー２２、リレー２３、ＰＴＣサーミスタ２４、ダイオード２０の経路で交流電源３の電力により平滑コンデンサ２１が充電される。ＤＣ／ＤＣコンバータ回路２５は平滑コンデンサ２１の端子間電圧に基づいてマイコン２６用の電圧を生成して出力する。ＤＣ／ＤＣコンバータ回路２５の出力電圧を電源にしてマイコン２６が起動する（ステップＳ１０１）。マイコン２６が起動後、マイコン２６の制御によりリレー１８を閉状態にする。リレー１８が閉状態になることで、リレー１８、抵抗素子１９、ダイオード２０の経路でも交流電源３の電力により平滑コンデンサ２１が充電されるようになる。
【００３３】
その後、室内機２の室内制御部は室外起動リレー２２を開状態にする。また、マイコン２６の制御によりリレー２３を開状態にする。こうすることで、平滑コンデンサ２１への充電はリレー１８経由の経路のみで行われるようになる。なお、室内機２の室内制御部が室外起動リレー２２を開状態にするタイミングは、室外起動リレー２２を閉状態にしてから所定の時間経過後でもよいし、室外機１と室内機２間の図示していない通信線経由で室内制御部がマイコン２６の起動を示す信号をマイコン２６から受信した後でもよい。
【００３４】
次にマイコン２６の制御により、リレー１４を閉状態にする。これにより、ＰＴＣサーミスタ１３、リレー１４、逆流防止用ダイオード１５を経由する経路で交流電源３の電力により主回路コンデンサ１２が充電される。マイコン２６は、出力電圧検出回路２８が検出する主回路コンデンサ１２の端子間電圧を監視し、この端子間電圧が所定値以上になった事を確認後、リレー５を閉状態にし、その後、リレー１４を開状態にする。リレー１４が開状態になった後は、交流電源３から主回路コンデンサ１２への充電はリレー５、全波整流回路７、コンバータ主回路８経由の経路でのみ行われるようになる。
【００３５】
以上説明したように、室内機２内の室外起動リレー２２を閉状態にすることで、室外機１のマイコン２６に電力供給がなされ、マイコン２６がリレーの開閉制御を含む初期化シーケンスを実行することで室外機１は待機電力削減モードから運転停止状態に移行する（ステップＳ１０２）。図２に室外機１が運転停止状態にある時の空気調和機の回路構成を示す。この後、室外機１は室外機１と室内機２間に接続した通信線（不図示）を用いて室内機２から暖房・冷房・送風といった空調運転の運転指令を受信しているかチェックする（ステップＳ１０３）。そして、室外機１は空調運転の運転指令を受信したら、運転指令に従った空調運転を開始する（ステップＳ１０４）。なお、空調運転中の空気調和機の回路構成は図２と同じである。
【００３６】
次に、室外機１が運転停止状態（図２）から待機電力削減モード（図１）へと移行する際の動作シーケンスについて、図５の動作フロー図を用いて説明する。
【００３７】
空気調和機が暖房・冷房・送風といった空調運転をしていない運転停止状態にあるとする。運転停止状態では空調運転はしていないものの、室内機２、室外機１とも交流電源３からの電力供給を受けており、室外機１ではマイコン２６が正常に動作している状態にある。
【００３８】
マイコン２６は、室外機１が空調運転を止め、運転停止状態になった時点を起点として運転停止状態の継続時間を計測する。そして、この継続時間の計測値が予め設定した閾値時間（Ｔｓｐ）以上か否かを判定し、運転停止状態の継続時間が閾値時間（Ｔｓｐ）以上になった時は（ステップＳ２０１：Ｙｅｓ）、リレー５を開状態にして無効電力削減モードに移行する。図３に無効電力削減モードにおける空気調和機の構成を示す。無効電力削減モードは、リレー５を開状態にすることで、コンデンサ６を流れる無効電流を減らすことで室外機１での無効電力を削減させる動作モードである。
【００３９】
運転停止状態の継続時間が閾値時間（Ｔｓｐ）に達していない時は（ステップＳ２０１：Ｎｏ）、マイコン２６は室内機２から暖房・冷房・送風といった運転指令を受信していないか調べ（ステップＳ２０５）、運転指令を受信していない時（ステップＳ２０５：Ｎｏ）は運転停止状態の継続時間の計測を続行する。運転指令を受信した時（ステップＳ２０５：Ｙｅｓ）はその指令内容に従って、空調運転を実施する（ステップＳ２０８）。
【００４０】
ステップＳ２０２で無効電力削減モードに移行すると、マイコン２６は室外機１が無効電力削減モードに移行した時点を起点として無効電力削減モードの継続時間を計測する。そして、この継続時間の計測値が予め設定した閾値時間（Ｔｒｅ）以上か否かを判定し、無効電力削減モードの継続時間が閾値時間（Ｔｒｅ）以上になった時は（ステップＳ２０３：Ｙｅｓ）、リレー１８を開状態、リレー２３を閉状態にして待機電力削減モードに移行する（ステップＳ２０４）。室内機２の室外起動リレー２２は運転停止状態、無効電力削減モードの各状態を通じて開状態のままであるので、リレー１８を開状態にしたことで、ダイオード２０を経由して交流電源３の電力を平滑コンデンサ２１に充電することができなくなる。この為、平滑コンデンサ２１及び主回路コンデンサ１２に蓄積されていた電荷を消費してしまうとＤＣ／ＤＣコンバータ回路２５は電圧出力を停止し、これに伴いマイコン２６等が動作停止することで、室外機１全体の消費電力が低減する。
【００４１】
無効電力削減モードの継続時間が閾値時間（Ｔｒｅ）に達していない時は（ステップＳ２０３：Ｎｏ）、マイコン２６は室内機２から暖房・冷房・送風といった運転指令を受信していないか調べ（ステップＳ２０６）、運転指令を受信していない時（ステップＳ２０６：Ｎｏ）は運転停止状態の継続時間の計測を続行する。
【００４２】
運転指令を受信している時（ステップＳ２０６：Ｙｅｓ）は、マイコン２６は出力電圧検出回路２８が検出した主回路コンデンサ１２の端子間電圧を調べ、この端子間電圧が所定値以上の時には、リレー５を閉状態にすることで運転停止状態（図２）に移行する。また、この端子間電圧が所定値未満の時には、リレー１４を閉状態にする。これにより、ＰＴＣサーミスタ１３、リレー１４、逆流防止用ダイオード１５を経由する経路で交流電源３の電力により主回路コンデンサ１２が充電される。マイコン２６は、主回路コンデンサ１２の端子間電圧を監視し、この端子間電圧が所定値以上になった事を確認後、リレー５を閉状態にし、その後、リレー１４を開状態にする。リレー１４が開状態になった後は、交流電源３から主回路コンデンサ１２への充電はリレー５、全波整流回路７、コンバータ主回路８経由の経路でのみ行われるようになり、運転停止状態（図２）への移行が完了する。その後、運転指令の内容に従って、空調運転を実施する（ステップＳ２０８）。
【００４３】
ここで、空気調和機の各動作モード（動作状態）における回路構成について纏めると以下のようになる。停止状態及び運転状態においては、リレー５及びリレー１８が閉状態を維持している。この為、室外機１内の各電子部品には交流電源３からの電力が供給されている。
【００４４】
無効電力削減モードにおいては、リレー１８は閉状態だか、リレー５は開状態に維持される。リレー５を開状態にすることで、コンデンサ６に流れる無効電流を遮断することができるとともに、コンバータ主回路８やインバータ主回路１６などの電力変換機能を実現する主回路への電力供給を遮断できる。また、リレー１８が閉状態の為、制御機能を実現するマイコン２６への電力供給は維持される。
【００４５】
待機電力削減モードにおいては、リレー５、リレー１４、リレー１８がいずれも開状態に維持されるので、室外機１内の電力変換機能を実現する電子部品には全く電力が供給されない。この為、待機電力削減モードにある空気調和機における電力消費は、大部分が室内機２での電力消費となり、空気調和機全体での待機電力を大幅に削減することができる。
【００４６】
次に、空気調和機が待機電力削減モード（図１）にある時に、室外機２の室外ファン２９が外風を受けて回転した場合の動作について説明する。室外ファン２９が外風により回転すると、ファンモータ３０が回転し、ファンモータ３０を構成するコイル（不図示）に起電力が発生する。この起電力による回生電流が主回路コンデンサ１２に流れ、主回路コンデンサ１２が充電される。主回路コンデンサ１２への充電に伴い、主回路コンデンサ１２の端子間電圧が上昇し、主回路コンデンサ１２の端子間電圧がＤＣ／ＤＣコンバータ回路２５の動作に必要な電圧レベルになると、ＤＣ／ＤＣコンバータ回路２５が動作し始める。ＤＣ／ＤＣコンバータ回路２５が正常動作することでＤＣ／ＤＣコンバータ回路２５の出力電圧を電源として動作するマイコン２６が起動する。
【００４７】
ここで、本発明の意義の理解を容易にする為に、本発明を適用しなかった場合の従来の制御について概略説明する。外風による起電力でマイコン２６が起動すると、前述した初期化シーケンス（図４）が実行され、室外機１は待機電力削減モードから運転停止状態へと移行してしまう。この運転停止状態への移行は、室外起動リレー２２を閉状態にすることで行われる室外機１の通常の起動とは異なるものであり、意図しない室外機の起動である。
【００４８】
室外機１が起動し、運転停止状態へと移行してしまうと待機電力削減モードに再度戻る為には、前述したシーケンス（図５）を経る必要がある為、最短でも所定の時間（Ｔｓｐ＋Ｔｒｅ）経過した後でなければ待機電力削減モードとはならない。この為、待機電力削減モードに戻るまでの間、室外機１での電力消費が増加してしまうことになる。
【００４９】
このように、本来であれば待機電力削減モードであり、室外機１での消費電力を低減したいところ、外風による意図しない室外機１の起動により、消費電力を削減できる期間が短くなってしまうという問題点があった。以下、この問題点を解消した本発明の制御手順について図６の動作フロー図を用いて説明する。
【００５０】
待機電力削減モードにある室外機１のマイコン２６が起動した場合（ステップＳ３０１）、起動シーケンスとしては前述した室外起動リレー２２を閉状態にすることで行う起動（通常起動と記す）である場合と、外風による意図しない室外機１の起動（外風起動と記す）である場合とが考えられる。そこで、マイコン２６は自身の起動後に、まず出力電圧検出回路２８が検出した主回路コンデンサ１２の端子間電圧と予め設定した第１の閾値電圧（Ｖｔｈ１）とを比較する（ステップＳ３０２）。
【００５１】
比較の結果、主回路コンデンサ１２の端子間電圧が第１の閾値電圧（Ｖｔｈ１）未満である場合には（ステップＳ３０２：Ｎｏ）通常起動であると判断し、通常起動の際に行う初期化シーケンスを実行する。具体的には、マイコン２６の制御によりリレー１８を閉状態にする。通常起動の場合、室外起動リレー２２が閉状態になっており、室外起動リレー２２、リレー２３、ＰＴＣサーミスタ２４、ダイオード２０の経路で交流電源３の電力により平滑コンデンサ２１が充電されている。そして、リレー１８が閉状態になることで、リレー１８、抵抗素子１９、ダイオード２０の経路でも交流電源３の電力により平滑コンデンサ２１が充電されるようになる。
【００５２】
その後、室内機２の室内制御部は室外起動リレー２２を開状態にする。また、室外機１のマイコン２６の制御によりリレー２３を開状態にする。こうすることで、平滑コンデンサ２１への充電はリレー１８経由の経路のみで行われるようになる。なお、室外機１の室内制御部が室外起動リレー２２を開状態にするタイミングは、室外起動リレー２２を閉状態にしてから所定の時間経過後でもよいし、室外機１と室内機２間の図示していない通信線経由で室内制御部がマイコン２６の起動を示す信号をマイコン２６から受信した後でもよい。
【００５３】
次にマイコン２６の制御により、リレー１４を閉状態にする。これにより、ＰＴＣサーミスタ１３、リレー１４、逆流防止用ダイオード１５を経由する経路で交流電源３の電力により主回路コンデンサ１２が充電される。マイコン２６は、出力電圧検出回路２８が検出する主回路コンデンサ１２の端子間電圧を監視し、この端子間電圧が所定値以上になった事を確認後、リレー５を閉状態にし、その後、リレー１４を開状態にする。こうすることで、主回路コンデンサ１２への充電はリレー５、全波整流回路７、コンバータ主回路８経由の経路で行われるようになる。
【００５４】
以上説明した初期化シーケンスを実行することで室外機１は待機電力削減モードから運転停止状態に移行する（ステップＳ３０３）。この後、室外機１は室外機１と室内機２間に接続した通信線（不図示）を用いて室内機２から暖房・冷房・送風といった空調運転の運転指令を受信したかチェックする（ステップＳ３０４）。そして、室外機１は空調運転の運転指令を受信したら、運転指令に従った空調運転を開始する（ステップＳ３０５）。
【００５５】
一方、比較の結果、マイコン２６の起動直後の主回路コンデンサ１２の端子間電圧が第１の閾値電圧（Ｖｔｈ１）以上である場合には（ステップＳ３０２：Ｙｅｓ）外風起動であると判断し、通常起動の際に行った初期化シーケンスは実行せず、運転停止状態への移行処理を停止する（ステップＳ３０６）。即ち、マイコン２６の制御によるリレー１８の閉状態への移行、室外起動リレー２２の開状態への移行、リレー２３の開状態への移行、リレー１４の閉状態への移行、リレー５の閉状態への移行、及びその後のリレー１４の開状態への移行はいずれも行われない。従って、室外機１は図１に示す待機電力削減モードでのリレーの開閉状態を維持し、図２に示す運転停止状態には移行しない。
【００５６】
以上説明した制御の効果について説明する。室外機１が通常起動した場合には、マイコン２６の起動直後にはリレー１４及びリレー５は開状態なので主回路コンデンサ１２への充電経路は存在しない。この為、主回路コンデンサ１２は充電されておらず、主回路コンデンサ１２の端子間電圧はＤＣ／ＤＣコンバータ回路２５の動作に必要な電圧レベルに達していない。一方、室外機１が外風起動した場合には、ファンモータ３０で発生した起電力による回生電流が主回路コンデンサ１２に流れ、主回路コンデンサ１２が充電される。そして、この充電により、主回路コンデンサ１２の端子間電圧がＤＣ／ＤＣコンバータ回路２５の動作に必要な電圧レベルまで上昇することでＤＣ／ＤＣコンバータ回路２５が正常動作し、ＤＣ／ＤＣコンバータ回路２５の出力電圧を電源としてマイコン２６が起動する。
【００５７】
従って、マイコン２６の起動直後に、主回路コンデンサ１２の端子間電圧を調べることにより、マイコン２６の起動が室外機１の通常起動によるものか、それとも外風起動によるものかを判定することができる。具体的には、マイコン２６は、主回路コンデンサ１２の端子間電圧が第１の閾値電圧（Ｖｔｈ１）以上である場合には外風起動であると判断し、主回路コンデンサ１２の端子間電圧が第１の閾値電圧（Ｖｔｈ１）未満である場合には通常起動であると判断する。なお、第１の閾値電圧（Ｖｔｈ１）の一例としては、ＤＣ／ＤＣコンバータ回路２５の動作に必要な電圧レベルの値を第１の閾値電圧（Ｖｔｈ１）に設定する。
【００５８】
そして、外風起動であると判断した場合には、マイコン２６はリレーの開閉制御を含む初期化シーケンスを実行しないようにしたので、室外機１は待機電力削減モードから運転停止状態に移行することはなく、ユーザの意図しない室外機１の起動による消費電力の増加を抑制することができる。
【００５９】
以上説明したように、本実施の形態の空気調和機では、室外機１のマイコン２６の起動直後に、主回路コンデンサ１２の端子間電圧を調べることで、通常起動か外風起動かを判定するようにし、外風起動であると判定した場合には室外機１は待機電力削減モードから運転停止状態に移行しないので、室外機１の不要な起動による電力消費を低減することができる。
【００６０】
実施の形態２.
実施の形態２における空気調和機について、図７の動作フロー図に基づいて動作を説明する。なお、図７の動作フローのステップＳ４０１及びＳ４０３〜Ｓ４０６は、実施の形態１での図６のステップＳ３０１及びＳ３０３〜Ｓ３０６と同じ処理であるので説明を省略し、ステップＳ４０２の処理を中心に説明する。
【００６１】
室外機１のマイコン２６は起動した（ステップＳ４０１）後に、まず回転数検出回路３２が検出したファンモータ３０の回転数と予め設定した第１の閾値回転数（Ｒｔｈ１）とを比較する（ステップＳ４０２）。比較の結果、ファンモータ３０の回転数が第１の閾値回転数（Ｒｔｈ１）未満である場合には（ステップＳ４０２：Ｎｏ）通常起動であると判断し、通常起動の際に行う初期化シーケンスを実行し、待機電力削減モードから運転停止状態に移行する（ステップＳ４０３）。その後の動作は、実施の形態１の場合と同じである。なお、第１の閾値回転数（Ｒｔｈ１）の一例としては、ファンモータ３０で発生する起電力がＤＣ／ＤＣコンバータ回路２５の動作に必要な電圧レベルとなるような回転数を実験やシミュレーションで把握した上で選定すればよい。
【００６２】
一方、比較の結果、マイコン２６の起動直後のファンモータ３０の回転数が第１の閾値回転数（Ｒｔｈ１）以上である場合には（ステップＳ４０２：Ｙｅｓ）外風起動であると判断し、通常起動の際に行った初期化シーケンスは実行せず、待機電力削減モードから運転停止状態への移行処理は中止する（ステップＳ４０６）。
【００６３】
以上説明した制御の効果について説明する。室外機１の起動が外風起動によるものである場合には、ファンモータ３０は外風により回転状態にある為、回転数検出回路３２が検出するファンモータ３０の回転数は零ではない値を示す。他方、室外機１の起動が通常起動によるものである場合には、室外機１の周辺では外風は吹いていないか、または外風があったとしても風力が弱く外風起動できない状態である可能性が高い。そこで回転数検出回路３２が検出したファンモータ３０の回転数と予め設定した第１の閾値回転数（Ｒｔｈ１）とを比較し、ファンモータ３０の回転数が第１の閾値回転数（Ｒｔｈ１）以上である場合には外風起動であると判断することにした。これにより、外風起動した場合には運転停止状態へ移行しないようにできるので、ユーザの意図しない室外機１の起動による消費電力の増加を抑制することができる。
【００６４】
以上の説明では、ファンモータ３０の回転数のみによって外風起動か通常起動かを判断するようにしたが、ファンモータ３０の回転継続時間も用いて、外風起動か通常起動かを判断するようにしてもよい。例えば、回転数検出回路３２検出した回転数とその回転数での継続時間の積和を計算することでより正確に、主回路コンデンサ１２の端子間電圧を把握できる。こうすることで、外風の強さが時間に従って変動する場合でも、外風起動か通常起動かの判断を行うことが可能となる。
【００６５】
また、実施の形態１で説明した主回路コンデンサ１２の端子間電圧を用いる方法と、本実施の形態で説明したファンモータ３０の回転数を用いる方法の両方を行って、この２つの方法の各々で外風起動であると判断した場合のみ、運転停止状態への移行処理を中止するようにしてもよい。こうすることで、外風起動であるか通常起動であるかの判断をより正確に行うことができる。
【００６６】
実施の形態３.
実施の形態１及び２では、室外機１の起動が外風起動である場合には、通常起動の際に行った初期化シーケンスは実行せず、待機電力削減モードから運転停止状態への移行処理を中止するようにした。運転停止状態への移行がおこなわれないことで室外機の消費電力を低減できるが、運転停止状態への移行を中止した後に、室外機１周辺の外風が非常に大きかったり、外風が吹いている継続時間が長かったりした場合には、ファンモータ３０の起電力で生じる回生電流により主回路コンデンサ１２への充電が継続されることになる。そして、マイコン２６等の室外機１内の回路素子での消費電力を上回る電力がファンモータ３０の起電力による回生電力として供給された場合、主回路コンデンサ１２の端子間電圧がさらに上昇することになる。そして、主回路コンデンサ１２の端子間電圧が、主回路コンデンサ１２やインバータ主回路１６等の周辺部品の耐電圧より大きくなると、これらの周辺部品の故障につながる恐れがある。そこで本実施の形態では、外風起動時の主回路コンデンサ１２の端子間電圧が所定の値より大きくならない様に制御するようにした。
【００６７】
実施の形態３における空気調和機について、図８の動作フロー図に基づいて動作を説明する。なお、図８の動作フローのステップＳ３０１〜Ｓ３０６は、実施の形態１での図６のステップＳ３０１〜Ｓ３０６と同じ処理であるので説明を省略し、ステップＳ３０７〜Ｓ３０８の処理を中心に説明する。
【００６８】
室外機１の起動が外風起動であると判断し、待機電力削減モードから運転停止状態への移行処理を中止した（ステップＳ３０６）後、マイコン２６は、主回路コンデンサ１２の端子間電圧が第２の閾値電圧（Ｖｔｈ２）以上であるか否かを調べる（ステップＳ３０７）。ここで、第２の閾値電圧（Ｖｔｈ２）は、第１の閾値電圧（Ｖｔｈ１）より大きい予め設定された閾値電圧であり、例えば室外機１で使用している電子部品の耐電圧の最小値よりも小さい値を設定すればよい。
【００６９】
主回路コンデンサ１２の端子間電圧が第２の閾値電圧（Ｖｔｈ２）未満である場合は（ステップＳ３０７：Ｎｏ）、ステップＳ３０７の処理を繰り返す。主回路コンデンサ１２の端子間電圧が第２の閾値電圧（Ｖｔｈ２）以上である場合は（ステップＳ３０７：Ｙｅｓ）、四方弁３３を駆動する四方弁駆動回路３５や電子膨張弁３４を駆動する電子膨張弁駆動回路３６など室外機１に実装されているアクチュエータの駆動回路を動作させることでこれらのアクチュエータを駆動する（ステップＳ３０８）。こうすることで、室外機１での消費電力が増加し、主回路コンデンサ１２に蓄積されている電荷量を低減させることができる。それによって主回路コンデンサ１２の端子間電圧が室外機１で使用している電子部品の耐電圧よりも大きくならないようにすることができる。なお、アクチュエータの駆動に際しては、室外機１の全体動作に支障がない範囲での駆動に限定してもよい。例えば、電子膨張弁３４の停止開度が変動すると不都合がある場合には、電子膨張弁３４の開度が変動しない程度の通電を行うようにしてもよい。
【００７０】
駆動可能なアクチュエータを全て駆動すれば消費電力を最大にすることができるが、駆動するアクチュエータの種類と個数を予め決めておき、マイコン２６の内部の記憶部に駆動するアクチュエータの種類と個数に関する情報を保持するようにしてもよい。また、ＲＯＭ等の外部記憶部（図示していない）にアクチュエータの種類と個数に関する情報を保持してマイコン２６がこの外部記憶部の情報を入手するようにしてもよい。
【００７１】
また、主回路コンデンサ１２の端子間電圧の変化に応じて駆動するアクチュエータの種類と個数を変動させるようにしてもよい。例えば、主回路コンデンサ１２の端子間電圧に対する第２の閾値電圧を複数設け（例えばＶｔｈ２A＜Ｖｔｈ２Ｂ＜Ｖｔｈ２Ｃとする）、主回路コンデンサ１２の端子間電圧の電圧レベルによって駆動するアクチュエータを段階的に変更するようにしてもよい。例えば、主回路コンデンサ１２の端子間電圧がＶｔｈ２A以上Ｖｔｈ２Ｂ未満の時には四方弁駆動回路３５を駆動し、Ｖｔｈ２Ｂ以上Ｖｔｈ２Ｃ未満の時にはさらに電子膨張弁駆動回路３６を駆動し、Ｖｔｈ２Ｃ以上の時はさらに圧縮機モータ１７に通電して拘束通電を行うようにしてもよい。なお、拘束通電とは回転停止中の圧縮機モータ１７に対してインバータ主回路１６をスイッチング動作させることにより、モータ１７が回転駆動されないような条件でモータ１７の巻き線に通電を行って、圧縮機を予備加熱する通電制御である。
【００７２】
ステップＳ３０８でアクチュエータを駆動した後は、外風が止めば主回路コンデンサ１２への充電が無くなり、主回路コンデンサ１２の端子間電圧は次第に減少していく。そして、端子間電圧がＤＣ／ＤＣコンバータ回路２５が動作しなくなるほどまで低下すれば、マイコン２６も動作を停止し、室外機１は待機電力削減モードへと移行することになる。
【００７３】
なお、ステップＳ３０８でアクチュエータを駆動した後に、主回路コンデンサ１２の端子間電圧が所定の電圧以下になった時点で駆動しているアクチュエータの駆動を停止するようにしてもよい。こうすることで、アクチュエータの駆動停止を適切な手順で行うことができアクチュエータの損傷を防ぐことができる。
【００７４】
以上説明したように、本実施の形態の空気調和機では、外風起動時に主回路コンデンサ１２の端子間電圧に対する第２の閾値電圧（Ｖｔｈ２）以上になった場合には室外機１のアクチュエータを駆動するようにしたので、主回路コンデンサ１２の端子間電圧が所定の値より大きくならないように制御することができる。これにより、主回路コンデンサ１２等の電子部品の故障を回避することができる。
【００７５】
実施の形態４.
実施の形態３では、室外機１の起動が外風起動である場合には、室外機１が備えているアクチュエータを駆動することにより消費電力を増加させ、主回路コンデンサ１２の端子間電圧を低下させることで室外機１を待機電力削減モードへと移行させるようにした。この際、駆動するアクチュエータとして圧縮機モータ１７を選び、圧縮機モータ１７の拘束通電を行うようにした場合、拘束通電による消費電力が大きい為、外風が止んでいないにもかかわらず主回路コンデンサ１２の端子間電圧がＤＣ／ＤＣコンバータ回路２５が動作しなくなるほどまで低下し、室外機１が待機電力削減モードへと移行してしまうことがありうる。そうなると待機電力削減モード移行後すぐに主回路コンデンサ１２が充電されるので、室外機１の外風起動が行われる。そして、外風起動後、再度、図８に示したフローがステップＳ３０１から繰り返されることになる。こうして、外風によりモータ１７が回転し続ける期間中、室外機１の外風起動と、待機電力削減モードへと移行とが何度も繰り返されることになる。その結果、主回路コンデンサ１２が充放電を繰り返すことでコンデンサ寿命が短くなる恐れがあり、製品寿命の観点から好ましくない。そこで本実施の形態では、外風起動時にアクチュエータを駆動した後には、外風によりモータ１７が回転し続ける期間中には室外機１が待機電力削減モードへと移行しないようにした。
【００７６】
実施の形態４における空気調和機について、図９の動作フロー図に基づいて動作を説明する。なお、図９の動作フローのステップＳ３０１〜Ｓ３０８は、実施の形態３での図８のステップＳ３０１〜Ｓ３０８と同じ処理であるので説明を省略し、ステップＳ３０９〜Ｓ３１１の処理を中心に説明する。
【００７７】
ステップＳ３０８でアクチュエータの駆動を開始した後、出力電圧検出回路２８が検出した主回路コンデンサ１２の端子間電圧と予め設定した第３の閾値電圧（Ｖｔｈ３）とを比較する（ステップＳ３０９）。ここで、第３の閾値電圧（Ｖｔｈ３）は第１の閾値電圧（Ｖｔｈ１）より大きく、かつ第２の閾値電圧（Ｖｔｈ２）より小さい予め設定された閾値電圧（Ｖｔｈ２＞Ｖｔｈ３＞Ｖｔｈ１）である。一例として、第３の閾値電圧（Ｖｔｈ３）は交流電源３の実効値の√２倍とすればよい。
【００７８】
比較の結果、主回路コンデンサ１２の端子間電圧が第３の閾値電圧（Ｖｔｈ３）より大きい場合には（ステップＳ３０９：Ｎｏ）、主回路コンデンサ１２の端子間電圧の監視を継続する。主回路コンデンサ１２の端子間電圧が第３の閾値電圧（Ｖｔｈ３）以下の場合には（ステップＳ３０９：Ｙｅｓ）、回転数検出回路３２が検出したファンモータ３０の回転数と予め設定した第２の閾値回転数（Ｒｔｈ２）とを比較する（ステップＳ３１０）。ここで、第２の閾値回転数（Ｒｔｈ２）は第１の閾値回転数（Ｒｔｈ１）より小さい予め設定された閾値回転数である。
【００７９】
比較の結果、ファンモータ３０の回転数が第２の閾値回転数（Ｒｔｈ２）以下である場合には（ステップＳ３１０：Ｙｅｓ）、外風が止んでいると判断する。この後は、外風が止んだことで、主回路コンデンサ１２への充電が無くなり、主回路コンデンサ１２の端子間電圧は次第に減少していく。そして、端子間電圧がＤＣ／ＤＣコンバータ回路２５が動作しなくなるほどまで低下すれば、マイコン２６も動作を停止し、室外機１は待機電力削減モードへと移行することになる。
【００８０】
一方、ファンモータ３０の回転数が第２の閾値回転数（Ｒｔｈ２）より大きい時は（ステップＳ３１０：Ｎｏ）、外風が止んでいないと判断する。そして、ステップＳ３０８で駆動を開始したアクチュエータのいくつか又は全部について駆動を停止する（ステップＳ３１１）。その後はステップＳ３０７に戻ってステップＳ３０７〜Ｓ３１１の処理を繰り返す。
【００８１】
なお、ステップＳ３１１の処理において、主回路コンデンサ１２の端子間電圧の大きさに応じて、駆動停止するアクチュエータの種類を変えたり、駆動停止するアクチュエータの個数を変化させたりすることで、アクチュエータ駆動による電力消費量を調整するようにしてもよい。アクチュエータ駆動による電力消費量を調整することで、主回路コンデンサ１２の端子間電圧が第３の閾値電圧（Ｖｔｈ３）より小さい状態から第２の閾値電圧（Ｖｔｈ２）より大きい状態へ急激に遷移しないようにすることができ、その結果、主回路コンデンサ１２の充放電回数を少なくすることができる。
【００８２】
また、ステップＳ３０８において、消費電力が所定値よりも大きなアクチュエータは駆動しないようにしてもよい。そうすることにより、アクチュエータ駆動により主回路コンデンサ１２の端子間電圧が第３の閾値電圧（Ｖｔｈ３）以下の状態になる発生頻度を低減することができる。消費電力が大きい大きなアクチュエータの例は圧縮機モータ１７であり、圧縮機モータ１７に通電して拘束通電を行うことはしないようにしてもよい。
【００８３】
以上説明したように、本実施の形態の空気調和機では、外風起動時にアクチュエータを起動した後に、主回路コンデンサ１２の端子間電圧が第３の閾値電圧（Ｖｔｈ３）以下であり、かつファンモータ３０の回転数が第１の閾値回転数（Ｒｔｈ１）より小さい予め設定された第２の閾値回転数（Ｒｔｈ２）より大きい時には、アクチュエータの駆動を停止させるようにしたので、外風起動と待機電力削減モードへの移行とを何度も繰り返す現象を回避することができる。これにより、主回路コンデンサ１２の寿命劣化等の電子部品の劣化を防止することができる。
【符号の説明】
【００８４】
１  室外機、２  室内機、３  交流電源、４  ノイズフィルタ、５  リレー、６  コンデンサ、７  全波整流回路（ＤＢ）、８  コンバータ主回路、９  リアクタ、１０  スイッチング素子、１１  逆流防止用ダイオード、１２  主回路コンデンサ、１３  ＰＴＣサーミスタ、１４  リレー、１５  逆流防止用ダイオード、１６  インバータ主回路、１７  圧縮機モータ、１８  リレー、１９  抵抗素子、２０  ダイオード、２１  平滑コンデンサ、２２  室外起動リレー、２３  リレー、２４  ＰＴＣサーミスタ、２５  ＤＣ／ＤＣコンバータ回路、２６  マイコン、２７  ダイオード、２８  出力電圧検出回路、２９  室外ファン、３０  ファンモータ、３１  回転数指示出力回路、３２  回転数検出回路、３３  四方弁、３４  電子膨張弁、３５  四方弁駆動回路、３６  電子膨張弁駆動回路
【図１】
2019138481.tif 000003
【図２】
2019138481.tif 000004
【図３】
2019138481.tif 000005
【図４】
2019138481.tif 000006
【図５】
2019138481.tif 000007
【図６】
2019138481.tif 000008
【図７】
2019138481.tif 000009
【図８】
2019138481.tif 000010
【図９】
2019138481.tif 000011
【国際調査報告】
2019138481.tif 000012
2019138481.tif 000013
2019138481.tif 000014
2019138481.tif 000015